(57)【特許請求の範囲】
【請求項１】
直線部分に据え付けられる暗渠型直線用側溝内枠と同一断面を有し且つ長さ方向に直角に切断された切断面と同一の連接面を有しその長さが短い短分割暗渠型直線用側溝内枠を形成し、各短分割暗渠型直線用側溝内枠の外周面に当該外周面から所定長さ突出する複数の突出筋を突出形成し、各短分割暗渠型直線用側溝内枠同士の連接面に各短分割暗渠型直線用側溝内枠同士のずれを防ぐ係合部を設け、複数の短分割暗渠型直線用側溝内枠を長さ方向に連接した状態で長さ方向に配置される連結筋と各短分割暗渠型直線用側溝内枠の同一位置に形成された各突出筋とをそれぞれ固着して各短分割暗渠型直線用側溝内枠同士を一体化し、現場で所定長さ周辺の連結筋を切断して所定長さの暗渠型直線用側溝内枠を得ることを特徴とする現場切断式暗渠型直線用側溝内枠。
【請求項２】
コーナー部分に据え付けられる暗渠型コーナー用側溝内枠と同一断面を有し且つコーナーの曲率半径の中心を通る直線方向に切断された切断面と同一の連接面を有しそのコーナー方向の長さが短い短分割暗渠型コーナー用側溝内枠を形成し、各短分割暗渠型コーナー用側溝内枠の外周面に当該外周面から所定長さ突出する複数の突出筋を突出形成し、各短分割暗渠型コーナー用側溝内枠同士の連接面に各短分割暗渠型コーナー用側溝内枠同士のずれを防ぐ係合部を設け、複数の短分割暗渠型コーナー用側溝内枠をコーナー方向に連接した状態でコーナー方向に配置される連結筋と各短分割暗渠型コーナー用側溝内枠の同一位置に形成された各突出筋とをそれぞれ固着して各短分割暗渠型コーナー用側溝内枠同士を一体化し、現場で所定コーナー角度周辺の連結筋を切断して所定コーナー角度の暗渠型コーナー用側溝内枠を得ることを特徴とする現場切断式暗渠型コーナー用側溝内枠。
【発明の詳細な説明】
【０００１】
【発明の属する技術分野】
この発明は、直線部分に据え付けられる暗渠型直線用側溝内枠及びコーナー部分に据え付けられる暗渠型コーナー用側溝内枠に係り、特に、現場の施工寸法に合わせて現場で簡単に切断することのできる現場切断式暗渠型直線用側溝内枠及び現場切断式暗渠型コーナー用側溝内枠に関するものである。
【０００２】
【従来の技術】
従来、暗渠型側溝は上面部分が塞がれているため、作業員が側溝内部に入ることができないサイズのものでは側溝内部に型枠を組むことができず、このため、暗渠型側溝施工箇所に、上面及び左右両側面が閉塞された門型（逆Ｕ字型）の暗渠型側溝内枠を据え付け、その外周側にコンクリートを打設して暗渠型側溝は施工されている。
【０００３】
ところで、直線部分に据え付けられる暗渠型直線用側溝内枠及びコーナー部分に据え付けられる暗渠型コーナー用側溝内枠は、例えば長さが１ｍ又は２ｍ、コーナー角度が４５度又は９０度の規格寸法で工場で製造された規格製品が使用されている。
【０００４】
この規格寸法である暗渠型直線用側溝内枠及び暗渠型コーナー用側溝内枠を暗渠型側溝施工箇所に据え付ける場合において、暗渠型側溝施工箇所の直線部分に規格製品の暗渠型直線用側溝内枠を連接して据え付けていったとき、端部の残り部分の施工寸法が規格製品の長さより短いことが多々あり、また、コーナー部の施工角度が規格製品の角度の４５度や９０度と異なることが多々ある。この場合には、施工寸法や施工角度に合わせて現場で規格製品の暗渠型直線用側溝内枠又は暗渠型コーナー用側溝内枠をそれぞれ切断して据え付けている。
【０００５】
【発明が解決しようとする課題】
しかしながら、施工寸法や施工角度に合わせて現場で規格製品の暗渠型直線用側溝内枠又は暗渠型コーナー用側溝内枠を切断する場合、鉄筋コンクリートからなる側溝内枠の切断面の全周面を切断するのには時間がかかり、切断の手間が大変である。また、暗渠型直線用側溝内枠を長さ方向に対して直角に正確に切断するのは困難であり、同様に、暗渠型コーナー用側溝内枠を曲率半径の中心を通過する線上に添って扇状に正確に切断するのは困難である。更に、鉄筋コンクリートからなる側溝内枠の切り口部分を綺麗に切断するのは困難であった。
【０００６】
この発明は、上記のような課題に鑑み、その課題を解決すべく創案されたものであって、その目的とするところは、現場の施工寸法や施工角度に合わせて現場で簡単に且つ長さ方向に直角に又は扇状に正確に切断でき、しかも短時間でその切り口部分を綺麗に切断することのできる現場切断式暗渠型直線用側溝内枠及び現場切断式暗渠型コーナー用側溝内枠を提供することにある。
【０００７】
【課題を解決するための手段】
以上の目的を達成するために、請求項１の発明に係る現場切断式暗渠型直線用側溝内枠は、直線部分に据え付けられる暗渠型直線用側溝内枠と同一断面を有し且つ長さ方向に直角に切断された切断面と同一の連接面を有しその長さが短い短分割暗渠型直線用側溝内枠を形成し、各短分割暗渠型直線用側溝内枠の外周面に当該外周面から所定長さ突出する複数の突出筋を突出形成し、各短分割暗渠型直線用側溝内枠同士の連接面に各短分割暗渠型直線用側溝内枠同士のずれを防ぐ係合部を設け、複数の短分割暗渠型直線用側溝内枠を長さ方向に連接した状態で長さ方向に配置される連結筋と各短分割暗渠型直線用側溝内枠の同一位置に形成された各突出筋とをそれぞれ固着して各短分割暗渠型直線用側溝内枠同士を一体化し、現場で所定長さ周辺の連結筋を切断して所定長さの暗渠型直線用側溝内枠を得る手段よりなるものである。
【０００８】
また、請求項２の発明に係る現場切断式暗渠型コーナー用側溝内枠は、コーナー部分に据え付けられる暗渠型コーナー用側溝内枠と同一断面を有し且つコーナーの曲率半径の中心を通る直線方向に切断された切断面と同一の連接面を有しそのコーナー方向の長さが短い短分割暗渠型コーナー用側溝内枠を形成し、各短分割暗渠型コーナー用側溝内枠の外周面に当該外周面から所定長さ突出する複数の突出筋を突出形成し、各短分割暗渠型コーナー用側溝内枠同士の連接面に各短分割暗渠型コーナー用側溝内枠同士のずれを防ぐ係合部を設け、複数の短分割暗渠型コーナー用側溝内枠をコーナー方向に連接した状態でコーナー方向に配置される連結筋と各短分割暗渠型コーナー用側溝内枠の同一位置に形成された各突出筋とをそれぞれ固着して各短分割暗渠型コーナー用側溝内枠同士を一体化し、現場で所定コーナー角度周辺の連結筋を切断して所定コーナー角度の暗渠型コーナー用側溝内枠を得る手段よりなるものである。
【０００９】
【発明の実施の形態】
以下、図面に記載の発明の実施の形態に基づいて、この発明をより具体的に説明する。
【００１０】
〔実施の形態−１〕
ここで、図１は現場切断式暗渠型直線用側溝内枠の平断面図、図２は短分割暗渠型直線用側溝内枠の断面図、図３は側壁枠と天井枠との連結箇所の部分拡大図、図４は隣接する短分割暗渠型直線用側溝内枠同士の連接部分の部分拡大断面図である。
【００１１】
図において、現場切断式暗渠型直線用側溝内枠１は、直線部分に据え付けられる暗渠型側溝の内枠を構成するものであって、現場の施工直線寸法に合わせて現場で簡単に且つ長さ方向に直角に正確に切断でき、しかも短時間でその切り口部分を綺麗に切断することのできる特徴を備えている。この現場切断式暗渠型直線用側溝内枠１は、コンクリート打設硬化後は取り除かれることなく使用されて、硬化後のコンクリートで形成される暗渠型側溝の内壁面を形成する。
【００１２】
現場切断式暗渠型直線用側溝内枠１は、長さがかなり短い複数の短分割暗渠型直線用側溝内枠２を長さ方向に一体的に連接したものから構成されている。各短分割暗渠型直線用側溝内枠２は、直線部分に据え付けられる暗渠型直線用側溝内枠と同一断面を有し、且つ長さ方向に直角に切断された切断面と同一の連接面１ａを有し、その長さはかなり短く例えば５０ｍｍ程のものから構成されている。
【００１３】
短分割暗渠型直線用側溝内枠２は、鉄筋コンクリート製の左右の側壁枠２ａと天井枠２ｂから構成され、底面側が開放された門型状の構造からなっている。短分割暗渠型直線用側溝内枠２を構成する左右の側壁枠２ａ及び天井枠２ｂの内部には補強用の鉄筋２ｃが配筋されており、その周囲をコンクリート２ｄによって被覆形成されている。
【００１４】
この実施の形態では、短分割暗渠型直線用側溝内枠２を構成する左右の側壁枠２ａと天井枠２ｂとは別体の細長な鉄筋コンクリート製の角形状のものからなり、この細長な角形状のものを連結具３によって、短分割暗渠型直線用側溝内枠２は一体的な門型状の形状に連結されている。
【００１５】
連結具３は挿入子３ａと挿入子３ａの両側が挿入連結される穴受体３ｂ，３ｃから構成されている。このうち、挿入子３ａは円柱の形状を有しており、例えば丸棒鋼が使用される。挿入子３ａの側周面の一部には刻設されていて、この刻設された凹凸面が穴受体３ｂ，３ｃの内周面に同様に刻設された凹凸面と係合して抜け難くなっている。
【００１６】
穴受体３ｂは天井枠２ｂの両端側で連結する左右の側壁枠２ａの連結面にそれぞれ埋設された状態で取り付けられている。また、穴受体３ｃは左右の側壁枠２ａと連結する天井枠２ｂの左右両端側の連結面にそれぞれ埋設された状態で取り付けられている。
【００１７】
穴受体３ｂ，３ｃは中空の円筒形の形状を有していて、穴受体３ｂ，３ｃの円筒形の一端の開口された表面は連結表面に位置している。穴受体３ｂ，３ｃの内周面には上述したように一部に刻設されて凹凸面に形成されていて、挿入子３ａの側周面に刻設された凹凸面と係合して抜け難くなっている。
【００１８】
また、側壁枠２ａ及び天井枠２ｂの内部に埋設された穴受体３ｂ，３ｃの円筒形の他端には円筒形の外径より大きい円形のストッパー板３ｄが取り付けられていて、穴受体３ｂ，３ｃは側壁枠２ａ及び天井枠２ｂの内部から抜け難くなっている。
【００１９】
各短分割暗渠型直線用側溝内枠２の外周面つまり暗渠型側溝が形成される側に面する周面には当該外周面から所定長さ突出する複数の突出筋４が突出形成されている。突出筋４は左右の側壁枠２ａ及び天井枠２ｂの例えば２箇所にそれぞれ突出形成されている。
【００２０】
各短分割暗渠型直線用側溝内枠２に突出形成される各突出筋４は、複数の短分割暗渠型直線用側溝内枠２を連接した場合に、同一の断面位置にそれぞれ形成されている。突出筋４には例えば鉄筋が使用され、突出筋４の根本側は側壁枠２ａ及び天井枠２ｂ内部に埋設されて内部の鉄筋２ｃと溶接などによって固着されている。
【００２１】
各突出筋４の先端側には、各短分割暗渠型直線用側溝内枠２を長さ方向に連接した状態で一体的に連結する連結筋６が溶接などで固着されている。突出筋４には例えば鉄筋が使用されている。突出筋４は、現場切断式暗渠型直線用側溝内枠１の外周面側に暗渠型側溝を構築するためにコンクリートが打設された場合に、打設されたコンクリートの鉄筋として機能して、暗渠型側溝の強度を高める役目を果たす。
【００２２】
各短分割暗渠型直線用側溝内枠２同士の連接面１ａには前後で隣接する各短分割暗渠型直線用側溝内枠２同士のずれを防ぐ係合部５がそれぞれ設けられている。係合部５は係合子５ａと係合子５ａの両側が挿入係止される係合受体５ｂから構成されている。
【００２３】
係合子５ａは２つの円錐台をその底面同士で接合した形状になっている。つまり、係合子５ａは中央でその外径が最大で、両側に向かって除々に外径が小さくなって、両端で外径が最小になる形状になっている。係合子５ａはその両側が隣接する短分割暗渠型直線用側溝内枠２にそれぞれ設けられた別体の係合受体５ｂに挿入されて係止される。
【００２４】
係合受体５ｂは各短分割暗渠型直線用側溝内枠２の連接面１ａにそれぞれ埋設された状態で取り付けられている。係合受体５ｂは中空の円錐台の穴形状を有していて、係合受体５ｂの中空の円錐台の底面の開口された表面は各短分割暗渠型直線用側溝内枠２の連接面１ａにそれぞれ位置している。
【００２５】
係合受体５ｂはその穴の向きが短分割暗渠型直線用側溝内枠２の長さ方向に指向して設けられている。また、隣接する短分割暗渠型直線用側溝内枠２に設けられた係合受体５ｂは、短分割暗渠型直線用側溝内枠２同士を連接した場合に、同じ位置になるように設けられている。係合受体５ｂはその開口部分で内径が最大で、奥側に向かって除々に内径が小さくなって、奥端で内径が最小になる形状になっている。
【００２６】
連結筋６は、複数の短分割暗渠型直線用側溝内枠２を長さ方向に連接した状態で一体的に連結するもので、短分割暗渠型直線用側溝内枠２の長さ方向に延設されて配置されており、各短分割暗渠型直線用側溝内枠２の同一位置に形成された各突出筋４と溶接などによって固着されている。
【００２７】
この連結筋６を現場で所定長さ周辺で切断つまり、現場に設置した場合に側溝内枠の端部になる短分割暗渠型直線用側溝内枠２の突出筋４に固着される箇所と、この内枠２に隣接する次の短分割暗渠型直線用側溝内枠２の突出筋４に固着される箇所との間にある連結筋６を切断するのみで、簡単に所定長さの暗渠型直線用側溝内枠を得ることができるのである。
【００２８】
連結筋６には例えば鉄筋が使用される。この連結筋６は、現場切断式暗渠型直線用側溝内枠１の外周面側に暗渠型側溝を構築するためにコンクリートが打設された場合に、この打設されたコンクリートの鉄筋として機能して、暗渠型側溝の強度を高める役目を果たす。
【００２９】
次に、上記発明の実施の形態の構成に基づく作用について以下説明する。
直線部分の暗渠型側溝の構築箇所に、長めの現場切断式暗渠型直線用側溝内枠１を設置し、所定の設置寸法を計った後に、余分の長さ部分の現場切断式暗渠型直線用側溝内枠１を切断する。
【００３０】
余分の長さ部分の切断は、該当箇所の範囲にある連結筋６を切断するのみで、直線用側溝内枠１を簡単に切断することができる。切断される箇所の連結筋６は一定の長さ例えば短分割暗渠型直線用側溝内枠２の長さが５０ｍｍの場合にはこれと同じ５０ｍｍの長さを有し、その両端は切断される相隣接する２つの短分割暗渠型側溝内枠２の各突出筋４に固設されていて、両突出筋４の間の例えば５０ｍｍの長さの連結筋６の任意箇所を切断すればよい。
【００３１】
つまり５０ｍｍの範囲内の何れかの箇所を切断すればよいので、その切断に際しては切断位置の正確さを要求されることがなく、しかも、切断面も綺麗に切断する必要がない。さらに、切断断面も、従来のように、側溝内枠のコンクリート断面の全断面を切断する必要がなく、数カ所に配置されている複数の連結筋６のみを切断すればよいので、切断時間も短時間で済む。
【００３２】
切断箇所の数カ所に位置する複数の連結筋６を切断した後、余分の長さ部分の現場切断式暗渠型直線用側溝内枠１を取り除いて、直線部分の現場切断式暗渠型直線用側溝内枠１を暗渠型側溝の構築箇所に据え付け、その上方から現場切断式暗渠型直線用側溝内枠１を覆うようにコンクリートを流し込んで打設する。
【００３３】
現場切断式暗渠型直線用側溝内枠１を覆うコンクリートは、現場切断式暗渠型直線用側溝内枠１の外面から突出する各突出筋４及び突出する各突出筋４に連結される連結筋６によって補強される。これらの各突出筋４及び連結筋６はコンクリートを内部から補強する鉄筋として機能する。
【００３４】
このようにして、直線部分の暗渠型側溝の構築箇所に、その切断面が暗渠型側溝の長手方向に対して直角でしかも綺麗な現場切断式暗渠型直線用側溝内枠１を容易に且つ正確にしかも短時間に据え付け施工することが可能となる。
【００３５】
〔実施の形態−２〕
ここで、図５は現場切断式暗渠型コーナー用側溝内枠の平断面図、図６は短分割暗渠型コーナー用側溝内枠の断面図、図７は側壁枠と天井枠との連結箇所の部分拡大図、図８は隣接する短分割暗渠型コーナー用側溝内枠同士の連接部分の部分拡大断面図である。
【００３６】
図において、現場切断式暗渠型コーナー用側溝内枠１１は、コーナー部分に据え付けられる暗渠型側溝の内枠を構成するものであって、現場の施工コーナー寸法に合わせて現場で簡単に且つ長さ方向に直角に正確に切断でき、しかも短時間でその切り口部分を綺麗に切断することのできる特徴を備えている。この現場切断式暗渠型コーナー用側溝内枠１１は、コンクリート打設硬化後は取り除かれることなく使用されて、硬化後のコンクリートで形成される暗渠型側溝の内壁面を形成する。
【００３７】
現場切断式暗渠型コーナー用側溝内枠１１は、平面から見て扇形の長さがかなり短い複数の短分割暗渠型コーナー用側溝内枠１２を円弧方向に一体的に連接したものから構成されている。各短分割暗渠型コーナー用側溝内枠１２は、コーナー部分に据え付けられる暗渠型コーナー用側溝内枠と同一断面を有し、且つコーナーの曲率半径の中心を通る直線方向に切断された切断面と同一の連接面１１ａを有し、平面から見て扇形の長さはかなり短く例えば扇形の外周側の円弧長さが５０ｍｍ程のものから構成されている。
【００３８】
短分割暗渠型コーナー用側溝内枠１２は、鉄筋コンクリート製の左右の側壁枠１２ａと天井枠１２ｂから構成され、底面側が開放された門型状の構造からなっている。左右の側壁枠１２ａのうち、平面から見て扇形の外周側となる左側の側壁枠１２ａは平面から見て扇形の内周側となる右側の側壁枠１２ａより円弧長さ（厚み）が大きい。短分割暗渠型コーナー用側溝内枠１２を構成する左右の側壁枠１２ａ及び天井枠１２ｂの内部には補強用の鉄筋１２ｃが配筋されており、その周囲をコンクリート１２ｄによって被覆形成されている。
【００３９】
この実施の形態では、短分割暗渠型コーナー用側溝内枠１２を構成する左右の側壁枠１２ａと天井枠１２ｂとは別体の細長な鉄筋コンクリート製の角形状のものからなり、この細長な角形状のものを連結具１３によって、短分割暗渠型コーナー用側溝内枠１２は一体的な門型状の形状に連結されている。
【００４０】
連結具１３は挿入子１３ａと挿入子１３ａの両側が挿入連結される穴受体１３ｂ，１３ｃから構成されている。このうち、挿入子１３ａは円柱の形状を有しており、例えば丸棒鋼が使用される。挿入子１３ａの側周面の一部には刻設されていて、この刻設された凹凸面が穴受体１３ｂ，１３ｃの内周面に同様に刻設された凹凸面と係合して抜け難くなっている。
【００４１】
穴受体１３ｂは天井枠１２ｂの両端側で連結する左右の側壁枠１２ａの連結面にそれぞれ埋設された状態で取り付けられている。また、穴受体１３ｃは左右の側壁枠１２ａと連結する天井枠１２ｂの左右両端側の連結面にそれぞれ埋設された状態で取り付けられている。
【００４２】
穴受体１３ｂ，１３ｃは中空の円筒形の形状を有していて、穴受体１３ｂ，１３ｃの円筒形の一端の開口された表面は連結表面に位置している。穴受体１３ｂ，１３ｃの内周面には上述したように一部に刻設されて凹凸面に形成されていて、挿入子１３ａの側周面に刻設された凹凸面と係合して抜け難くなっている。
【００４３】
また、側壁枠１２ａ及び天井枠１２ｂの内部に埋設された穴受体１３ｂ，１３ｃの円筒形の他端には円筒形の外径より大きい円形のストッパー板１３ｄが取り付けられていて、穴受体１３ｂ，１３ｃは側壁枠１２ａ及び天井枠１２ｂの内部から抜け難くなっている。
【００４４】
各短分割暗渠型コーナー用側溝内枠１２の外周面つまり暗渠型側溝が形成される側に面する周面には当該外周面から所定長さ突出する複数の突出筋１４が突出形成されている。突出筋１４は左右の側壁枠１２ａ及び天井枠１２ｂの例えば２箇所にそれぞれ突出形成されている。
【００４５】
各短分割暗渠型コーナー用側溝内枠１２に突出形成される各突出筋１４は、複数の短分割暗渠型コーナー用側溝内枠１２を連接した場合に、同一の断面位置にそれぞれ形成されている。突出筋１４には例えば鉄筋が使用され、突出筋１４の根本側は側壁枠１２ａ及び天井枠１２ｂ内部に埋設されて内部の鉄筋１２ｃと溶接などによって固着されている。
【００４６】
各突出筋１４の先端側には、各短分割暗渠型コーナー用側溝内枠１２を長さ方向に連接した状態で一体的に連結する連結筋１６が溶接などで固着されている。突出筋１４には例えば鉄筋が使用されている。突出筋１４は、現場切断式暗渠型コーナー用側溝内枠１１の外周面側に暗渠型側溝を構築するためにコンクリートが打設された場合に、打設されたコンクリートの鉄筋として機能して、暗渠型側溝の強度を高める役目を果たす。
【００４７】
各短分割暗渠型コーナー用側溝内枠１２同士の連接面１１ａには前後で隣接する各短分割暗渠型コーナー用側溝内枠１２同士のずれを防ぐ係合部１５がそれぞれ設けられている。係合部１５は係合子１５ａと係合子１５ａの両側が挿入係止される係合受体１５ｂから構成されている。
【００４８】
係合子１５ａは１２つの円錐台をその底面同士で接合した形状になっている。つまり、係合子１５ａは中央でその外径が最大で、両側に向かって除々に外径が小さくなって、両端で外径が最小になる形状になっている。係合子１５ａはその両側が隣接する短分割暗渠型コーナー用側溝内枠１２にそれぞれ設けられた別体の係合受体１５ｂに挿入されて係止される。
【００４９】
係合受体１５ｂは各短分割暗渠型コーナー用側溝内枠１２の連接面１１ａにそれぞれ埋設された状態で取り付けられている。係合受体１５ｂは中空の円錐台の穴形状を有していて、係合受体１５ｂの中空の円錐台の底面の開口された表面は各短分割暗渠型コーナー用側溝内枠１２の連接面１１ａにそれぞれ位置している。
【００５０】
係合受体１５ｂはその穴の向きが短分割暗渠型コーナー用側溝内枠１２の長さ方向に指向して設けられている。また、隣接する短分割暗渠型コーナー用側溝内枠１２に設けられた係合受体１５ｂは、短分割暗渠型コーナー用側溝内枠１２同士を連接した場合に、同じ位置になるように設けられている。係合受体１５ｂはその開口部分で内径が最大で、奥側に向かって除々に内径が小さくなって、奥端で内径が最小になる形状になっている。
【００５１】
連結筋１６は、複数の短分割暗渠型コーナー用側溝内枠１２を長さ方向に連接した状態で一体的に連結するもので、短分割暗渠型コーナー用側溝内枠１２の長さ方向に延設されて配置されており、各短分割暗渠型コーナー用側溝内枠１２の同一位置に形成された各突出筋１４と溶接などによって固着されている。
【００５２】
この連結筋１６を現場で所定長さ周辺で切断つまり、現場に設置した場合に側溝内枠の端部になる短分割暗渠型コーナー用側溝内枠１２の突出筋１４に固着される箇所と、この内枠１２に隣接する次の短分割暗渠型コーナー用側溝内枠１２の突出筋１４に固着される箇所との間にある連結筋１６を切断するのみで、簡単に所定長さの暗渠型コーナー用側溝内枠を得ることができるのである。
【００５３】
連結筋１６には例えば鉄筋が使用される。この連結筋１６は、現場切断式暗渠型コーナー用側溝内枠１１の外周面側に暗渠型側溝を構築するためにコンクリートが打設された場合に、この打設されたコンクリートの鉄筋として機能して、暗渠型側溝の強度を高める役目を果たす。
【００５４】
次に、上記発明の実施の形態の構成に基づく作用について以下説明する。
コーナー部分の暗渠型側溝の構築箇所に、長めの現場切断式暗渠型コーナー用側溝内枠１１を設置し、所定の設置寸法を計った後に、余分の長さ部分の現場切断式暗渠型コーナー用側溝内枠１１を切断する。
【００５５】
余分の長さ部分の切断は、該当箇所の範囲にある連結筋１６を切断するのみで、現場切断式暗渠型コーナー用側溝内枠１１を簡単に切断することができる。切断される箇所の連結筋１６は一定の長さ例えば短分割暗渠型コーナー用側溝内枠１２の平面からみて扇形の外周側の長さが例えば５０ｍｍの場合にはこれと略同じ長さを有し、又平面からみて扇形の内周側の長さが２５ｍｍの場合にはこれと略同じ長さを有し、その両端は切断される相隣接する１２つの短分割暗渠型側溝内枠１２の各突出筋１４にそれぞれ固設されていて、両突出筋１４の間の例えば５０ｍｍと２５ｍｍの長さの連結筋１６の任意箇所を切断すればよい。
【００５６】
つまり５０ｍｍ又は２５ｍｍの範囲内の何れかの箇所を切断すればよいので、その切断に際しては切断位置の正確さを要求されることがなく、しかも、切断面も綺麗に切断する必要がない。さらに、切断断面も、従来のように、側溝内枠のコンクリート断面の全断面を切断する必要がなく、数カ所に配置されている複数の連結筋１６のみを切断すればよいので、切断時間も短時間で済む。
【００５７】
切断箇所の数カ所に位置する複数の連結筋１６を切断した後、余分の長さ部分の現場切断式暗渠型コーナー用側溝内枠１１を取り除いて、コーナー部分の現場切断式暗渠型コーナー用側溝内枠１１を暗渠型側溝の構築箇所に据え付け、その上方から現場切断式暗渠型コーナー用側溝内枠１１を覆うようにコンクリートを流し込んで打設する。
【００５８】
現場切断式暗渠型コーナー用側溝内枠１１を覆うコンクリートは、現場切断式暗渠型コーナー用側溝内枠１１の外面から突出する各突出筋１４及び突出する各突出筋１４に連結される連結筋１６によって補強される。これらの各突出筋１４及び連結筋１６はコンクリートを内部から補強する鉄筋として機能する。
【００５９】
このようにして、コーナー部分の暗渠型側溝の構築箇所に、その切断面が暗渠型側溝の長手方向に対して直角でしかも綺麗な現場切断式暗渠型コーナー用側溝内枠１１を容易に且つ正確にしかも短時間に据え付け施工することが可能となる。
【００６０】
なお、この発明は上記発明の実施の形態に限定されるものではなく、この発明の精神を逸脱しない範囲で種々の改変をなし得ることは勿論である。例えば、上記の発明の実施の形態では、短分割暗渠型直線用側溝内枠２及び短分割暗渠型コーナー用側溝内枠１２を構成する左右の側壁枠２ａ，１２ａと天井枠２ｂ，１２ｂとは別体の細長な鉄筋コンクリート製の角形状のものからなり、この細長な角形状のものを連結具３，１３によって、短分割暗渠型直線用側溝内枠２及び短分割暗渠型コーナー用側溝内枠１２は一体的な門型状の形状に連結されている場合で説明したがこれに限定されるものではなく、左右の側壁枠２ａ，１２ａと天井枠２ｂ，１２ｂとを別体でない一体のものから形成したものでもよい。
【００６１】
【発明の効果】
以上の記載より明らかなように、請求項１〜２の発明に係る現場切断式暗渠型直線用側溝内枠及び現場切断式暗渠型コーナー用側溝内枠によれば、従来のように側溝内枠の全側周面を切断する必要がなく、突出筋に溶着されて側溝内枠の外周側の数カ所に長さ方向配筋された複数の連結筋の所定箇所を切断するのみでよく、簡単に且つ長さ方向に直角に又は扇状に正確に切断でき、しかも短時間でその切り口部分を綺麗に切断することができる。
【００６２】
しかも、連結筋の所定箇所を切断する場合、隣合う両突出筋の間の範囲にある連結筋の部分を切断すればよく、つまり、切断箇所が点でなく或る程度の切断範囲があるためその切断範囲以内であればどこを切断してもよく、このため、正確な切断ポイントを特定してその部分を切断する必要がなく、短時間で簡単容易に切断することができる。
【００６３】
これらに加えて、側溝内枠の外周側に突出した突出筋及びこの突出筋に溶着されて長さ方向に配筋された連結筋は、その後に側溝内枠の外周側に打設されるコンクリートの配筋としてそのまま利用することができ、その後に打設されるコンクリートの強度を高めることができる等、極めて新規的有益なる効果を奏するものである。
【図面の簡単な説明】
【図１】この発明の実施の形態−１を示す現場切断式暗渠型直線用側溝内枠の平断面図である。
【図２】この発明の実施の形態−１を示す短分割暗渠型直線用側溝内枠の断面図である。
【図３】この発明の実施の形態−１を示す側壁枠と天井枠との連結箇所の部分拡大図である。
【図４】この発明の実施の形態−１を示す隣接する短分割暗渠型直線用側溝内枠同士の連接部分の部分拡大断面図である。
【図５】この発明の実施の形態−２を示す現場切断式暗渠型コーナー用側溝内枠の平断面図である。
【図６】この発明の実施の形態−２を示す短分割暗渠型コーナー用側溝内枠の断面図である。
【図７】この発明の実施の形態−２を示す側壁枠と天井枠との連結箇所の部分拡大図である。
【図８】この発明の実施の形態−２を示す隣接する短分割暗渠型コーナー用側溝内枠同士の連接部分の部分拡大断面図である。
【符号の説明】
１    現場切断式暗渠型直線用側溝内枠
１ａ  連接面
２    短分割暗渠型直線用側溝内枠
２ａ  側壁枠
２ｂ  天井枠
２ｃ  鉄筋
２ｄ  コンクリート
３    連結具
３ａ  挿入子
３ｂ  穴受体
３ｃ  穴受体
３ｄ  ストッパー板
４    突出筋
５    係合部
５ａ  係合子
５ｂ  係合受体
６    連結筋
１１    現場切断式暗渠型コーナー用側溝内枠
１１ａ  連接面
１２    短分割暗渠型コーナー用側溝内枠
１２ａ  側壁枠
１２ｂ  天井枠
１２ｃ  鉄筋
１２ｄ  コンクリート
１３    連結具
１３ａ  挿入子
１３ｂ  穴受体
１３ｃ  穴受体
１３ｄ  ストッパー板
１４    突出筋
１５    係合部
１５ａ  係合子
１５ｂ  係合受体
１６    連結筋
【図１】
0003549451.tif 000002
【図２】
0003549451.tif 000003
【図３】
0003549451.tif 000004
【図４】
0003549451.tif 000005
【図５】
0003549451.tif 000006
【図６】
0003549451.tif 000007
【図７】
0003549451.tif 000008
【図８】
0003549451.tif 000009